(57)【要約】【課題】体臭・汗臭を確実に消すことができ、汗むれを確実に防ぐことができ、さらにアンモニア臭やホルムアルデヒド臭を確実に消臭することができる木炭パウダー入り寝具用マットレスを提供する。【解決手段】上段マット層をウレタンフォームで形成し、木炭パウダーを含んだ綿繊維製ボードで形成した吸収マット層を上段マット層の裏面側に積層し、この上段マット層には吸収マット層に連通される複数の透孔を穿設したことを特徴とする木炭パウダー入り寝具用マットレスである。【選択図】  図１
2004159958.tif 000002
【特許請求の範囲】
【請求項１】
上段マット層をウレタンフォームで形成し、木炭パウダーを含んだ綿繊維製ボードで形成した吸収マット層を上段マット層の裏面側に積層し、この上段マット層には吸収マット層に連通される複数の透孔を穿設したことを特徴とする木炭パウダー入り寝具用マットレス。
【請求項２】
上段マット層をウレタンフォームで形成し、木炭パウダーを含んだ綿繊維製ボードで形成した吸収マット層を上段マット層の裏面側に積層し、この吸収マット層の裏面側にはウレタンフォームで形成される下段マット層を積層し、この上段マット層及び下段マット層には吸収マット層に連通される複数の透孔を穿設したことを特徴とする木炭パウダー入り寝具用マットレス。
【請求項３】
前記透孔の断面形状が円形状又は長孔状であることを特徴とする請求項１又は２に記載の木炭パウダー入り寝具用マットレス。
【請求項４】
前記綿繊維製ボードは、硬綿で略矩形状のボード体に形成され、このボード体内に木炭パウダーが含まれ、ボード体が不織紙からなる内袋に収納され、この内袋に収納されたボード体が綿布からなる外袋に収納されていることを特徴とする請求項１乃至３の何れかに記載の木炭パウダー入り寝具用マットレス。
【請求項５】
前記木炭パウダーは、檜からなる木炭パウダーであることを特徴とする請求項１乃至４の何れかに記載の木炭パウダー入り寝具用マットレス。
【発明の詳細な説明】
【０００１】
【発明の属する技術分野】
本発明は木炭パウダー入り寝具用マットレスに係り、特に介護用マットレスに適用することで被介護人が快適に過ごすことができ、さらに介護人が介護しやすくなる木炭パウダー入り寝具用マットレスに関する。
【０００２】
【従来の技術】
近年、高齢化が進みベッド内で多くの時間を過ごす人が増える傾向にある。このため、ベッド内で快適に過ごすことができるように、例えば寝心地を改良した寝具用マットレスが提案されている。
【０００３】
さらには、介護人の負担を軽くして、より快適に介護を行えるようにした寝具用マットレスの提案もなされている。
【０００４】
【発明が解決しようとする課題】
しかるに、従来の寝具用マットレスでは、体臭・汗臭を確実に消すことが難しく、また汗むれを確実に防ぐことも難しいものであった。
【０００５】
さらに、従来の寝具用マットレスでは、被介護人がベッド内で失禁したような場合に、そこから発生するアンモニア臭を消臭することが難しく、同様にホルムアルデヒド臭を消臭することも難しいとされていた。
この点を改良すると、被介護人がベッド内で心地よく過ごせるようになり、さらに介護人にとっても気持ちの良い介護が行えるようになる。
【０００６】
本発明は、体臭・汗臭を確実に消し、汗むれを防ぎ、さらにアンモニア臭やホルムアルデヒド臭をも消臭できる木炭パウダー入り寝具用マットレスを提供して、上述の全ての問題点を解消せんとするものである。
【０００７】
【課題を解決するための手段】
上記目的を達成するために請求項１の発明は、上段マット層をウレタンフォームで形成し、木炭パウダーを含んだ綿繊維製ボードで形成した吸収マット層を上段マット層の裏面側に積層し、この上段マット層には吸収マット層に連通される複数の透孔を穿設したことを特徴とする。
【０００８】
本発明に係る木炭パウダー入り寝具用マットレスは、上段マット層の裏面側に木炭パウダーを含んだ綿繊維製ボードで形成した吸収マット層を積層したため、体臭・汗臭を確実に消すことができ、さらにアンモニア臭やホルムアルデヒド臭を確実に消臭できる。
【０００９】
また、木炭パウダーを綿繊維製ボードに含ませ、この綿繊維製ボードを硬綿繊維が一定の厚さに形成されるようにしたもので、これにより介護用マットレスの保型性と弾力性を確保し、かつ汗むれの発生を防ぐことができる。
【００１０】
請求項２の発明は、上段マット層をウレタンフォームで形成し、木炭パウダーを含んだ綿繊維製ボードで形成した吸収マット層を上段マット層の裏面側に積層し、この吸収マット層の裏面側にはウレタンフォームで形成される下段マット層を積層し、この上段マット層及び下段マット層には吸収マット層に連通される複数の透孔を穿設したことを特徴とする。
【００１１】
このため上段マット層と下段マット層の何れの側を表面に向けるかの選択が自由に行えるようになって、使用性が格段に向上した。
また上段マット層と下段マット層の硬度を変化させることで、好みの硬度のものを使用できるようになる効果も達成できる。
【００１２】
請求項３の発明は、前記透孔の断面形状が円形状又は長孔状であることを特徴とする。
【００１３】
この透孔は、その断面形状が円形状であっても湿気、水蒸気の導入効果を十分に達成できるが、長孔状にした場合には導入路の断面積が大きくなって、一層効率的に湿気、水蒸気の導入効果を達成できるようになる。
【００１４】
請求項４の発明は、前記綿繊維製ボードは、硬綿で略矩形状のボード体に形成され、このボード体内に木炭パウダーが含まれ、ボード体が不織紙からなる内袋に収納され、この内袋に収納されたボード体が綿布からなる外袋に収納されていることを特徴とする。
【００１５】
ボード体を内袋及び外袋で二重に覆うようにし、この内袋と外袋とは液状のもの（尿）は通さないが、気体状のもの（湿気、水蒸気）は通す性質の素材で形成されているため、水分をより一層通し難くすることで、尿が綿繊維製ボードまで侵入すること等を確実に防ぐことができる。もちろん、木炭パウダーの外部への漏出も防ぐことができる。
【００１６】
請求項５の発明は、前記木炭パウダーは、檜からなる木炭パウダーであることを特徴とする。
【００１７】
檜を使った木炭の表面には、多くの微小穴が無数に存在し、その微小穴の内壁中にも、さらに別の微小穴が多数存在している。このため檜の木炭パウダーは微小穴が縦横無尽に繋がっている多孔質の素材であり、外気に触れる微小穴の表面積が著しく大きくなり、その結果木炭パウダー周辺の臭気はこの微小穴で捕捉され確実に消臭できるようになる。
【００１８】
【発明の実施の形態】
以下添付図面に基づいて、本発明に係る木炭パウダー入り寝具用マットレスの一実施の形態を詳説する。
図１は本発明に係る木炭パウダー入り寝具用マットレスの斜視図、図２は前図のＡ−Ａ線断面図、図３は同Ｂ−Ｂ線断面方向から見た湿気、水蒸気、臭気の流れを示す説明図、図４は他の実施例を示す木炭パウダー入り寝具用マットレスの斜視図、図５は前図のＣ−Ｃ線断面図、図６は同Ｄ−Ｄ線断面方向から見た湿気、水蒸気、臭気の流れを示す説明図である。
【００１９】
図１〜図３に示す木炭パウダー入り寝具用マットレス１０は、上段マット層１をウレタンフォームで形成し、木炭パウダーを含んだ綿繊維製ボードで形成した吸収マット層２を上段マット層１の裏面側に積層し、この上段マット層１には吸収マット層２に連通する複数の透孔３，３・・が穿設されている。
【００２０】
上段マット層１のウレタンフォームは、いわゆる低反発フォームと称される硬度単位３程度の反発力の小さい低反発ウレタンフォームが好適である。
マットレス１０の全体の大きさは、縦約１９４ｃｍ、横約８３ｃｍ，厚さ８０ｍｍ程度であり、上段マット層１の厚さは４０〜６０ｍｍ，吸収マット層２の厚さは１５〜２０ｍｍ程度の大きさに形成する。
【００２１】
次いで上段マット１に多数穿設される透孔３，３・・・の例としては、直径２〜１０ｍｍ程度の断面円形状のものでも、あるいは短寸２〜１０ｍｍ、長寸１０〜５０ｍｍ程度の長孔状のものとすることもできる。この透孔３は、その断面形状がどの様なものであってもかまわず、また長孔の長手方向がいずれの方向を向いていてもかまわないが、汗の元となる湿気や水蒸気やその臭気を透過させるのに必要にして十分な通路巾が確保されている必要がある。
【００２２】
さらに、マットレス１０を三層構造に形成することもでき、その場合には吸収マット層２の裏面側にウレタンフォームで形成した下段マット層４を積層させることになるが、この下段マット層４は上段マット層１と同一素材とすることが好適である。もちろん、これとは別に上段マット層１と下段マット層４のウレタンフォームの硬度に差を設けるようにしてもよい。また下段マット層４を設けた場合には、その下段マット層４にも前記上段マット層１に穿設したと同様の透孔３を多数形成する。
【００２３】
本発明で使用する吸収マット層２は、硬綿により略矩形状のボード体に形成された綿繊維製ボード５で構成され、この綿繊維製ボード５内に木炭パウダー６を含ませたものである。この綿繊維製ボード５が不織紙（１枚乃至複数枚）からなる内袋に収納され、この内袋に収納された綿繊維製ボード５を綿布からなる外袋に収納して完成する。
【００２４】
綿繊維製ボード５は硬綿繊維を一定の厚さに形成したものであるから、保型性と弾力性に優れ、これを中心として上段マット層１や下段マット層４を積層してマットレス１０を仕立てるので、マットレス１０をベッド基台に設置した際の使用感は格段に良好なものとなる。
【００２９】
綿繊維製ボード５に含まれる木炭パウダー６は、一例として檜からなる木炭パウダーが該当するが、木炭パウダー６はこれに限られるものではない。
但し、檜からなる木炭パウダー６の表面には、多くの微小穴（非常に小さいため図示はしていない）が無数に存在し、その微小穴の内壁中には、さらに別の微小穴が多数存在している。このため、これらの全ての微小穴が縦横無尽に繋がっている多孔質の素材となり、外気に触れる微小穴の表面積が著しく大きくなる。
【００３０】
このように、檜からなる木炭パウダー６は外気に触れる微小穴の表面積が飛躍的に大きくなるので、この木炭パウダー６周辺の臭気はこの微小穴で捕捉されて消臭され、また被介護人の体臭・汗臭を確実に消すことができ、同時にアンモニア臭やホルムアルデヒド臭も消臭できる。
【００３１】
つぎに、木炭パウダー入り寝具用マットレス１０の作用を図３及び図６に基づいて説明する。
マットレス１０は、そこに寝る人の肌が接する面が上段マット層１（あるいは下段マット層４）であるため、適度の反発力を有し、その肌触りと弾力は心地よいものとなる。
【００３２】
また、マットレス１０の上段マット層１の裏面側に積層される吸収マット層２は、檜からなる木炭パウダー６を含んだ綿繊維製ボード５であるため、上段マット層１の透孔３から矢印Ａに示すように体臭・汗臭などの臭いが綿繊維製ボード５（すなわち、吸収マット層２）まで進入し、綿繊維製ボード５の檜からなる木炭パウダー６にて確実に消臭されるようになる。
体臭・汗臭などの臭いと同様に、アンモニア臭やホルムアルデヒド臭をもこの木炭パウダー６で確実に消臭される。
【００３３】
さらに、綿繊維製ボード５（すなわち、吸収マット層２）は矢印Ａに示すように水蒸気を通すこともできるので、上段マット層１の表面のサラサラ感を保つことができ、汗むれなどの発生を抑えることができる。
【００３４】
また、一旦汗の元である湿気、水蒸気等からの水分を吸収した吸収マット層は、吸収マット層の外気に触れる面（側面及び底面）から、吸収した水分を蒸発発散させることができるので、常に乾燥状態を保持できるという特徴がある。
【００３５】
つぎに、図７のグラフで、本発明に係る木炭パウダー入り寝具用マットレス１０を使用した際のアンモニアの消臭性について説明する。
グラフＧ１は吸収マット層２に檜からなる木炭パウダー６を１ｇ含ませた綿繊維製ボード５を使用した場合のアンモニア消臭性を示す。
グラフＧ１から明らかなように、１０００ｐｐｍのアンモニア臭は１０分経過後には６４０ｐｐｍに減少し、６０分経過後には５６０ｐｐｍに減少した。
【００３６】
グラフＧ２は、吸収マット層２に檜からなる木炭パウダー６を３ｇ含ませた綿繊維製ボード５を使用した場合のアンモニア消臭性を示す。
グラフＧ２から明らかなように、１０００ｐｐｍのアンモニア臭は１０分経過後には３００ｐｐｍに減少し、６０分経過後には２２０ｐｐｍに減少した。
【００３７】
グラフＧ３は、吸収マット層２に檜からなる木炭パウダー６を５ｇ含ませた綿繊維製ボード５を使用した場合のアンモニア消臭性を示す。
グラフＧ３から明らかなように、１０００ｐｐｍのアンモニア臭は１０分経過後には１６４ｐｐｍに減少し、６０分経過後には１００ｐｐｍに減少した。
【００３８】
グラフＧ４は、吸収マット層２に檜からなる木炭パウダー６を１０ｇ含ませた綿繊維製ボード５を使用した場合のアンモニア消臭性を示す。
グラフＧ４から明らかなように、１０００ｐｐｍのアンモニア臭は１０分経過後には６０ｐｐｍに減少し、６０分経過後には４０ｐｐｍに減少した。
【００３９】
図７に示す通り、吸収マット層２に檜からなる木炭パウダー６を１ｇ、３ｇ、５ｇ、１０ｇ含ませると、アンモニア臭を十分に消臭することができることが判る。さらに、檜からなる木炭パウダー６の含有量は、１ｇ〜１０ｇの範囲で多量に含ませると消臭効果がさらに高くなることが判る。
【００４０】
つぎに、図８のグラフで、本発明に係る木炭パウダー入り寝具用マットレス１０を使用した際のホルムアルデヒドの消臭性について説明する。
グラフＧ５は、吸収マット層２に檜からなる木炭パウダー６を１ｇ含ませた綿繊維製ボード５を使用した場合のホルムアルデヒド消臭性を示す。
グラフＧ５から明らかなように、１６ｐｐｍのホルムアルデヒド臭は２分経過後には１．５ｐｐｍに減少し、その後ホルムアルデヒド臭を１．５ｐｐｍに保つことができる。
【００４１】
グラフＧ６は、吸収マット層２に檜からなる木炭パウダー６を３ｇ含ませた綿繊維製ボード５を使用した場合のホルムアルデヒド消臭性を示す。
グラフＧ６から明らかなように、１６ｐｐｍのホルムアルデヒド臭は２分経過後には０．５ｐｐｍに減少し、その後ホルムアルデヒド臭を０．５ｐｐｍに保つことができる。
【００４２】
図８に示す通り、吸収マット層２に檜からなる木炭パウダー６を１ｇ、３ｇ含ませると、ホルムアルデヒド臭を十分に消臭することができることが判る。さらに、檜からなる木炭パウダー６の含有量は１ｇ〜３ｇの範囲で多量に含ませると消臭効果がさらに高くなることが判る。
【００４３】
つぎに、図９のグラフで本発明に係る木炭パウダー入り寝具用マットレス１０を使用した際のホルムアルデヒドの消臭性について説明する。
グラフＧ７は、吸収マット層２に檜からなる木炭パウダー６を５ｇ含ませた綿繊維製ボード５を使用した場合のホルムアルデヒド消臭性を示す。
グラフＧ７から明らかなように、２００ｐｐｍのホルムアルデヒド臭は１分経過後には５０ｐｐｍに減少し、５分経過後には３０ｐｐｍに減少し、その後ホルムアルデヒド臭を３０ｐｐｍに保つことができる。
【００４４】
グラフＧ８は、吸収マット層２に檜からなる木炭パウダー６を１０ｇ含ませた綿繊維製ボード５を使用した場合のホルムアルデヒド消臭性を示す。
グラフＧ８から明らかなように、５００ｐｐｍのホルムアルデヒド臭は１分経過後には１００ｐｐｍに減少し、その後ホルムアルデヒド臭を１００ｐｐｍに保つことができる。
図９に示すとおり、吸収マット層２に檜からなる木炭パウダー６を５ｇ、１０ｇ含ませると、ホルムアルデヒド臭を十分に消臭することができることが判る。
【００４５】
なお、前記実施の形態では、木炭パウダー入り寝具用マットレス１０を介護用マットレスに適用した例に説明したが、この寝具用マットレス１０は介護用マットレスに限られることなく、通常の寝具用マットレスとして使用することも可能である。
また、前記実施の形態では、木炭パウダー入り寝具用マットレス１０をマットレスレス１１の表面に敷いて使用する例について説明したが、これに限られずに、この寝具用マットレス１０を畳などに敷いて使用することも可能である。
【００４６】
【発明の効果】
以上述べたように、請求項１による木炭パウダー入り寝具用マットレスは、上段マット層の裏面側に木炭パウダーを含んだ綿繊維製ボードで形成した吸収マット層を積層したため、体臭・汗臭を確実に消すことができ、さらにアンモニア臭やホルムアルデヒド臭を確実に消臭できる。
【００４７】
また、木炭パウダーを綿繊維製ボードに含ませ、この綿繊維製ボードを硬綿繊維が一定の厚さに形成されるようにしたもので、これにより介護用マットレスの保型性と弾力性を確保し、かつ汗むれの発生を防ぐことができる。
【００４８】
請求項２の発明は、上段マット層と下段マット層の何れの側を表面に向けるかの選択が自由に行えるようになって、使用性が格段に向上した。
また上段マット層と下段マット層の硬度を変化させることで、好みの硬度のものを使用できるようになる効果も達成できる。
【００４９】
請求項３の発明は、透孔の断面形状を円形状又は長穴状に形成したので、その断面形状が円形状であっても湿気、水蒸気の導入効果を十分に達成できるが、長孔状にした場合には導入路の断面積が大きくなって、一層効率的に湿気、水蒸気の導入効果を達成できるようになる。
【００５０】
請求項４の発明は、前記綿繊維製ボードは、硬綿で略矩形状のボード体に形成され、このボード体内に木炭パウダーが含まれ、ボード体が不織紙からなる内袋に収納され、この内袋に収納されたボード体が綿布からなる外袋に収納されているので、ボード体を内袋及び外袋で二重に覆うようにし、この内袋と外袋とは液状のもの（尿）は通さないが、気体状のもの（湿気、水蒸気）は通す性質の素材で形成されているため、水分をより一層通し難くすることで、尿が綿繊維製ボードまで侵入すること等を確実に防ぐことができる。もちろん、木炭パウダーの外部への漏出も防ぐことができる。
【００５１】
請求項５の発明は、木炭パウダーに檜からなる木炭パウダーを使用しており、
檜を使った木炭の表面には、多くの微小穴が無数に存在し、その微小穴の内壁中にも、さらに別の微小穴が多数存在している。このため檜の木炭パウダーは微小穴が縦横無尽に繋がっている多孔質の素材であり、外気に触れる微小穴の表面積が著しく大きくなり、その結果木炭パウダー周辺の臭気はこの微小穴で捕捉され確実に消臭できるようになる。
【００５２】
したがって、全体として外気に触れる微小穴の表面積が大きくなり、臭気の分子を確実に捕捉して確実な消臭ができ、アンモニア臭やホルムアルデヒド臭を確実に消臭できるという優れた効果がある。
【図面の簡単な説明】
【図１】本発明に係る木炭パウダー入り寝具用マットレスの斜視図である。
【図２】前図のＡ−Ａ線断面図である。
【図３】同Ｂ−Ｂ線断面方向から見た湿気、水蒸気、臭気の流れを示す説明図である。
【図４】他の実施例を示す木炭パウダー入り寝具用マットレスの斜視図である。
【図５】前図のＣ−Ｃ線断面図である。
【図６】同Ｄ−Ｄ線断面方向から見た湿気、水蒸気、臭気の流れを示す説明図である。
【図７】本発明に係る木炭パウダー入り寝具用マットレスを使用した際のアンモニア消臭性を説明したグラフである。
【図８】本発明に係る木炭パウダー入り寝具用マットレスを使用した際のホルムアルデヒド消臭性を説明したグラフである。
【図９】本発明に係る木炭パウダー入り寝具用マットレスを使用した際のホルムアルデヒド消臭性を説明したグラフである。
【符号の説明】
１０…木炭パウダー入り寝具用マットレス
１…上段マット層
２…吸収マット層
３…透孔
４…下段マット層
５…綿繊維製ボード
６…木炭パウダー
【図１】
2004159958.tif 000003
【図２】
2004159958.tif 000004
【図３】
2004159958.tif 000005
【図４】
2004159958.tif 000006
【図５】
2004159958.tif 000007
【図６】
2004159958.tif 000008
【図７】
2004159958.tif 000009
【図８】
2004159958.tif 000010
【図９】
2004159958.tif 000011